(57)【要約】【課題】光ディスク装置において、記録動作時のノイズを低減可能な技術の提供。【解決手段】記録クロックと記録データを互いに時分割で光ピックアップ内の所定の回路に供給してレーザーダイオード発光駆動用の記録発光波形を生成し、記録クロックのない期間にレーザーダイオードを発光させ光ディスクへの記録を行う。時分割のタイミングは、記録クロックに基づき生成した記録タイミング用制御信号により決める。【選択図】  図１
2004241077.tif 000002
【特許請求の範囲】
【請求項１】
レーザーダイオードを駆動し光ディスクにデータを記録可能なレーザー駆動回路であって、
記録データの生成と、記録動作の基準となる記録クロックの生成と、該記録クロックに基づき記録タイミング用制御信号の生成とを行う第１の手段と、
少なくとも上記記録クロックに基づき、上記レーザーダイオードの発光タイミングを決定するための発光クロックを生成する第２の手段と、
上記記録データと上記発光クロックとに基づきレーザー発光の記録波形を生成する第３の手段と、
上記第３の手段への上記記録データの供給タイミングと、上記第２の手段への上記記録クロックの供給タイミングを、上記第１の手段の上記記録タイミング用制御信号に基づき時分割で切換える第４の手段と、
を備え、記録時、上記記録クロックと上記記録データを時分割で上記第１の手段から、それぞれ上記第２の手段と上記第３の手段に供給する構成としたことを特徴とするレーザー駆動回路。
【請求項２】
レーザーダイオードを駆動し光ディスクにデータを記録可能なレーザー駆動回路であって、
記録データを生成する記録データ生成手段と、
記録動作の基準となる記録クロックを生成する第１のクロック生成手段と、
上記記録クロックに基づき記録タイミング用制御信号を生成する制御信号生成手段と、
少なくとも上記記録クロックに基づき、上記レーザーダイオードの発光タイミングを決定するための発光クロックを生成する第２のクロック生成手段と、
上記記録データと上記発光クロックとに基づきレーザー発光の記録波形を生成する波形生成手段と、
上記波形生成手段への上記記録データの供給タイミングと、上記第２のクロック生成手段への上記記録クロックの供給タイミングを、上記記録タイミング用制御信号に基づき時分割で切換える切換え手段と、
を備え、記録時、上記記録クロックと上記記録データを同一の信号線により時分割で、それぞれ上記第２のクロック生成手段と上記波形生成手段とに供給可能とした構成を特徴とするレーザー駆動回路。
【請求項３】
上記第２のクロック生成手段は、上記記録クロックと上記記録データとが時分割重畳した信号が入力され、周波数可変型発振手段を備え、記録クロックの入力期間では、該記録クロックと上記発振手段の出力との周波数誤差信号または該周波数誤差信号及び位相誤差信号を選択して加算し、記録データの入力期間では、該記録データと上記発振手段の出力との位相誤差信号を選択して加算して、上記記録クロックに同期した発光クロックを生成する構成である請求項２に記載のレーザー駆動回路。
【請求項４】
上記第２のクロック生成手段は、上記記録クロックと上記記録データが時分割重畳された信号が入力され、周波数可変型発振手段を備え、記録クロックの入力期間では、該記録クロックと上記発振手段の出力との周波数誤差信号を選択して加算し、記録データの入力期間では、該記録データと上記発振手段の出力との位相誤差信号を選択して加算し、選択切替え時に上記発振手段の制御信号を保持して、上記記録クロックに同期した発光クロックを生成する構成である請求項２に記載のレーザー駆動回路。
【請求項５】
レーザーダイオードを駆動し光ディスクにデータを記録可能なレーザー駆動回路であって、
記録データを生成する記録データ生成手段と、
記録動作の基準となる記録クロックを生成する第１のクロック生成手段と、
上記生成された記録クロックを分周する第１の分周手段と、
上記記録クロックに基づき記録タイミング用制御信号を生成する制御信号生成手段と、
周波数可変型発振手段と該発振手段の出力を分周する第２の分周手段を有し、該発振手段の分周された出力と上記分周された記録クロック、及び、該発振手段の分周された出力と上記記録データに基づき、上記レーザーダイオードの発光タイミングを決定するための発光クロックを生成する第２のクロック生成手段と、
上記記録データと上記発光クロックとに基づきレーザー発光の記録波形を生成する波形生成手段と、
上記波形生成手段への上記記録データの供給タイミングと上記第２のクロック生成手段への上記分周された記録クロックの供給タイミングを、上記記録タイミング用制御信号に基づき時分割で切換える切換え手段と、
を備え、記録時、上記分周された記録クロックと上記記録データを同一の信号線により時分割で、それぞれ上記第２のクロック生成手段と上記波形生成手段とに供給し、該第２のクロック生成手段では、上記分周された記録クロックの入力期間では、該分周された記録クロックと上記発振手段の分周された出力との周波数誤差信号を選択して加算し、記録データの入力期間では、該記録データと上記発振手段の分周された出力との位相誤差信号を選択して加算し、上記記録クロックに同期した発光クロックを生成する構成としたことを特徴とするレーザー駆動回路。
【請求項６】
上記第１の分周手段における上記記録クロックの分周値と、上記第２の分周手段における上記周波数可変型発振手段の出力の分周値とが等しくされた構成である請求項５に記載のレーザー駆動回路。
【請求項７】
レーザーにより光ディスクに対しデータを記録可能な構成を備えた光ディスク装置であって、
記録データと、記録動作の基準となる記録クロックと、該記録クロックに基づき記録タイミング用制御信号とを生成する第１の手段と、少なくとも上記記録クロックに基づき、上記レーザーダイオードの発光タイミングを決定するための発光クロックを生成する第２の手段と、上記記録データと上記発光クロックとに基づきレーザー発光の記録波形を生成する第３の手段と、上記第３の手段への上記記録データの供給タイミングと、上記第２の手段への上記記録クロックの供給タイミングを、上記第１の手段の上記記録タイミング用制御信号に基づき時分割で切換える第４の手段とを備え、記録時、上記記録クロックと上記記録データを時分割で上記第１の手段から、それぞれ上記第２の手段と上記第３の手段に供給するレーザー駆動回路と、
上記レーザー駆動回路により駆動されるレーザーダイオードと、
対物レンズを備え、上記レーザーダイオードからのレーザー光を光ディスクの記録面に照射する光学系と、
少なくとも上記レーザーダイオードと上記光学系を含んで成るピックアップを移動させるピックアップ移動機構と、
光ディスクを回転させるスピンドルモータと、
該スピンドルモータを駆動するモータ駆動回路と、
を備えた構成を特徴とする光ディスク装置。
【請求項８】
レーザーにより光ディスクに対しデータを記録可能な構成を備えた光ディスク装置であって、
記録データを生成する記録データ生成手段と、記録動作の基準となる記録クロックを生成する第１のクロック生成手段と、上記記録クロックに基づき記録タイミング用制御信号を生成する制御信号生成手段と、少なくとも上記記録クロックに基づき、上記レーザーダイオードの発光タイミングを決定するための発光クロックを生成する第２のクロック生成手段と、上記記録データと上記発光クロックとに基づきレーザー発光の記録波形を生成する波形生成手段と、上記波形生成手段への上記記録データの供給タイミングと、上記第２のクロック生成手段への上記記録クロックの供給タイミングを、上記記録タイミング用制御信号に基づき時分割で切換える切換え手段とを備え、記録時、上記記録クロックと上記記録データを同一の信号線により時分割で、それぞれ上記第２のクロック生成手段と上記波形生成手段とに供給可能としたレーザー駆動回路と、
上記レーザー駆動回路により駆動されるレーザーダイオードと、
対物レンズを備え、上記レーザーダイオードからのレーザー光を光ディスクの記録面に照射する光学系と、
少なくとも上記レーザーダイオードと上記光学系を含んで成るピックアップを移動させるピックアップ移動機構と、
光ディスクを回転させるスピンドルモータと、
該スピンドルモータを駆動するモータ駆動回路と、
を備えた構成を特徴とする光ディスク装置。
【請求項９】
レーザーにより光ディスクに対しデータを記録可能な構成を備えた光ディスク装置であって、
記録データを生成する記録データ生成手段と、記録動作の基準となる記録クロックを生成する第１のクロック生成手段と、上記生成された記録クロックを分周する第１の分周手段と、上記記録クロックに基づき記録タイミング用制御信号を生成する制御信号生成手段と、周波数可変型発振手段と該発振手段の出力を分周する第２の分周手段を有し該発振手段の分周された出力と上記分周された記録クロック及び該発振手段の分周された出力と上記記録データに基づき上記レーザーダイオードの発光タイミングを決定するための発光クロックを生成する第２のクロック生成手段と、上記記録データと上記発光クロックとに基づきレーザー発光の記録波形を生成する波形生成手段と、上記波形生成手段への上記記録データの供給タイミングと上記第２のクロック生成手段への上記分周された記録クロックの供給タイミングを、上記記録タイミング用制御信号に基づき時分割で切換える切換え手段とを備え、記録時、上記分周された記録クロックと上記記録データを同一の信号線により時分割で、それぞれ上記第２のクロック生成手段と上記波形生成手段とに供給し、該第２のクロック生成手段では、上記分周された記録クロックの入力期間では、該分周された記録クロックと上記発振手段の分周された出力との周波数誤差信号を選択して加算し、記録データの入力期間では、該記録データと上記発振手段の分周された出力との位相誤差信号を選択して加算し、上記記録クロックに同期した発光クロックを生成するレーザー駆動回路と、
上記レーザー駆動回路により駆動されるレーザーダイオードと、
対物レンズを備え、上記レーザーダイオードからのレーザー光を光ディスクの記録面に照射する光学系と、
少なくとも上記レーザーダイオードと上記光学系を含んで成るピックアップを移動させるピックアップ移動機構と、
光ディスクを回転させるスピンドルモータと、
該スピンドルモータを駆動するモータ駆動回路と、
を備えた構成を特徴とする光ディスク装置。
【請求項１０】
光ディスクにデータを記録するためにレーザーダイオードを駆動するレーザー駆動方法であって、
記録データの生成と、記録動作の基準となる記録クロックの生成と、該記録クロックに基づき記録タイミング用制御信号の生成とを行うステップと、
上記記録データの供給タイミングと上記記録クロックの供給タイミングとを、上記記録タイミング用制御信号に基づき時分割で切換えて供給するステップと、
少なくとも上記供給された記録クロックに基づき、上記レーザーダイオードの発光タイミングを決定するための発光クロックを生成するステップと、
上記記録データと上記発光クロックとに基づきレーザー発光の記録波形を生成するステップと、
上記生成した記録波形をレーザーダイオードに供給するステップと、
を経て、上記レーザーダイオードの駆動を行うことを特徴とするレーザー駆動方法。
【請求項１１】
光ディスクにデータを記録するためにレーザーダイオードを駆動するレーザー駆動方法であって、
記録データの生成と、記録動作の基準となる記録クロックの生成と、該記録クロックに基づき記録タイミング用制御信号の生成と、該記録クロックの分周とを行うステップと、
上記記録データの供給タイミングと上記分周された記録クロックの供給タイミングとを、上記記録タイミング用制御信号に基づき時分割で切換えて供給するステップと、
上記分周された記録クロック及び上記記録データに基づき、上記レーザーダイオードの発光タイミングを決定するための発光クロックを生成するステップと、
上記記録データと上記発光クロックとに基づきレーザー発光の記録波形を生成するステップと、
上記生成した記録波形をレーザーダイオードに供給するステップと、
を経て、上記レーザーダイオードの駆動を行うことを特徴とするレーザー駆動方法。
【発明の詳細な説明】
【０００１】
【発明の属する技術分野】
本発明は、記録媒体としての光ディスクにレーザー光を照射しデータ情報の記録を行う技術に関する。
【０００２】
【従来の技術】
本発明の記録技術に関連する記録回路の従来例を図１０に示す。図１０において、１ｃは信号処理回路、２’はレーザーダイオードを発光駆動するためのダイオード駆動回路、３は、記録動作の基準となる記録クロックの生成を行う記録クロック生成回路、４は、記録クロックに基づき記録タイミング用制御信号（記録再生切替え信号（Ｒ／ＷＢ））を生成して出力する記録タイミング信号生成回路、５は、同じく記録クロックに基づき記録データを変調して出力する記録データ変調回路、７ａは、レーザーダイオードの発光タイミングを決定するための発光クロックを生成する位相同期発振器（ＰＬＬ）、８はＰＬＬを構成する位相比較器、９は同じく低域通過フィルタ（ＬＰＦ）、１０は同じく周波数電圧制御発振器（ＶＣＯ）、１１は、上記記録タイミング用制御信号（記録再生切替え信号（Ｒ／ＷＢ））と上記記録データと上記発光クロックとに基づき、レーザーダイオードを発光させる記録波形を生成する記録発光波形生成回路、１２はレーザーダイオードである。上記構成において、記録クロックは記録クロック生成回路３から位相同期発振器（ＰＬＬ）７ａに入力され、記録データは記録データ変調回路５から記録発光波形生成回路１１に入力される。記録クロックと記録データはそれぞれ互いに別々の信号線により光ピックアップ内の位相同期発振器（ＰＬＬ）７ａと記録発光波形生成回路１１に供給される。位相同期発振器（ＰＬＬ）７ａでは、入力された記録クロックに基づき発光クロックを生成する。記録発光波形生成回路１１には、上記記録データの他、上記記録タイミング信号生成回路４からの記録タイミング用制御信号（記録再生切替え信号（Ｒ／ＷＢ））と、上記位相同期発振器（ＰＬＬ）７ａからの上記発光クロックとが入力される。該記録発光波形生成回路１１では、入力された記録データと記録タイミング用制御信号（記録再生切替え信号（Ｒ／ＷＢ））と発光クロックとに基づき、レーザーダイオードを発光させるための記録波形を生成し、レーザーダイオード１２を駆動する。
【０００３】
本発明に関連する従来技術が記載された特許文献としては例えば、特開平１１−２８３２４９号公報（特許文献１）、特開平１１−２１９５２４号公報（特許文献２）及び特開２００１−４３５３１号公報（特許文献３）がある。特開平１１−２８３２４９号公報には、光ディスク装置においてスイッチングタイミングのずれやエラーレートの低下を防ぐために、レーザー駆動集積回路に、レーザーダイオードを駆動する駆動波形情報を記憶する記憶手段を設け、該記憶手段の記憶情報に基づき駆動波形を復元するとともに、ディスクに記録する信号を基に上記記憶手段の駆動波形情報を選択するようにした構成が記載されている。特開平１１−２１９５２４号公報には、光ディスク装置においてスイッチングタイミングのずれやエラーレートの低下を防ぐために、電流の切り替え制御信号を、コード信号に変更して伝送する構成が記載されている。特開２００１−４３５３１号公報には、記録再生装置において、データの記録または再生動作を安定して行う記録ストラテジ制御可能なレーザードライバを半導体レーザーに近接させて設けた構成が記載されている。これら各公報記載の構成においては、データとクロックとは別個の伝送路により伝送される。
【０００４】
【特許文献１】
特開平１１−２８３２４９号公報
【特許文献２】
特開平１１−２１９５２４号公報
【特許文献３】
特開２００１−４３５３１号公報
【０００５】
【発明が解決しようとする課題】
上記図１０の従来技術においては、記録動作中も常時、高周波の記録クロックが光ピックアップ側に供給され、しかも、記録クロック生成回路と光ピックアップ内の回路とが長い接続線で接続される。このため、記録クロックによるノイズが他の回路（サーボ回路、ＡＴＩＰ検出回路等）に妨害を与え、記録の安定性を低下させるおそれがある。また、上記各公報記載の技術においても、記録動作中に常時、高周波の記録クロックが光ピックアップ側に供給されるため、これに基づく妨害が記録の安定性を損なうおそれがある。
本発明の課題点は、上記従来技術の状況に鑑み、光ディスク装置におけるレーザーダイオード駆動において、記録クロックによるノイズの影響を低減し、安定した記録動作を可能にすることである。
本発明の目的は、かかる課題点を解決できる技術の提供にある。
【０００６】
【課題を解決するための手段】
上記課題点を解決するために、本発明では、レーザーダイオードを駆動して光ディスクにデータを記録可能なレーザー駆動回路として、基本的に、記録クロックと記録データを互いに時分割で光ピックアップ内の所定の回路に供給してレーザーダイオード発光駆動用の記録発光波形を生成し、記録クロックのない期間にレーザーダイオードを発光させ光ディスクへの記録を行うようにする。時分割のタイミングは、記録クロックに基づき生成される記録タイミング用制御信号により決める。具体的には、（１）レーザー駆動回路（該当実施例：符号１ａ、１ｂ、２ａ、２ｂ、２ｃ、２ｄ、２ｅ）として、記録データの生成と、記録動作の基準となる記録クロックの生成と、該記録クロックに基づき記録タイミング用制御信号の生成とを行う第１の手段（該当実施例：符号３、４、５）と、少なくとも上記記録クロックに基づき、上記レーザーダイオードの発光タイミングを決定するための発光クロックを生成する第２の手段（該当実施例：符号７ａ、７ｂ、７ｃ、７ｄ、７ｅ）と、上記記録データと上記発光クロックとに基づきレーザー発光の記録波形を生成する第３の手段（該当実施例：符号１１）と、上記第３の手段への上記記録データの供給タイミングと、上記第２の手段への上記記録クロックの供給タイミングを、上記第１の手段の上記記録タイミング用制御信号に基づき時分割で切換える第４の手段（該当実施例：符号６）とを備え、記録時、上記記録クロックと上記記録データを時分割で上記第１の手段から、それぞれ上記第２の手段と上記第３の手段に供給する構成とする。（２）レーザー駆動回路（該当実施例：符号１ａ、１ｂ、２ａ、２ｂ、２ｃ、２ｄ、２ｅ）として、記録データを生成する記録データ生成手段（該当実施例：符号５）と、記録動作の基準となる記録クロックを生成する第１のクロック生成手段（該当実施例：符号３）と、上記記録クロックに基づき記録タイミング用制御信号を生成する制御信号生成手段（該当実施例：符号４）と、少なくとも上記記録クロックに基づき、上記レーザーダイオードの発光タイミングを決定するための発光クロックを生成する第２のクロック生成手段（該当実施例：符号７ａ、７ｂ、７ｃ、７ｄ、７ｅ）と、上記記録データと上記発光クロックとに基づきレーザー発光の記録波形を生成する波形生成手段（該当実施例：符号１１）と、上記波形生成手段への上記記録データの供給タイミングと、上記第２のクロック生成手段への上記記録クロックの供給タイミングを、上記記録タイミング用制御信号に基づき時分割で切換える切換え手段（該当実施例：符号６）とを備え、記録時、上記記録クロックと上記記録データを同一の信号線により時分割で、それぞれ上記第２のクロック生成手段と上記波形生成手段とに供給可能とした構成とする。（３）レーザー駆動回路（該当実施例：符号１ｂ、２ｅ）として、記録データを生成する記録データ生成手段（該当実施例：符号５）と、記録動作の基準となる記録クロックを生成する第１のクロック生成手段（該当実施例：符号３）と、上記生成された記録クロックを分周する第１の分周手段（該当実施例：符号２２）と、上記記録クロックに基づき記録タイミング用制御信号を生成する制御信号生成手段（該当実施例：符号４）と、周波数可変型発振手段と該発振手段の出力を分周する第２の分周手段（該当実施例：符号２１）を有し、該発振手段の分周された出力と上記分周された記録クロック、及び、該発振手段の分周された出力と上記記録データに基づき、レーザーダイオードの発光タイミングを決定するための発光クロックを生成する第２のクロック生成手段（該当実施例：符号７ｅ）と、上記記録データと上記発光クロックとに基づきレーザー発光の記録波形を生成する波形生成手段（該当実施例：符号１１）と、上記波形生成手段への上記記録データの供給タイミングと上記第２のクロック生成手段への上記分周された記録クロックの供給タイミングを、上記記録タイミング用制御信号に基づき時分割で切換える切換え手段（該当実施例：符号６）とを備え、記録時、上記分周された記録クロックと上記記録データを同一の信号線により時分割で、それぞれ上記第２のクロック生成手段と上記波形生成手段とに供給し、該第２のクロック生成手段では、上記分周された記録クロックの入力期間では、該分周された記録クロックと上記発振手段の分周された出力との周波数誤差信号を選択して加算し、記録データの入力期間では、該記録データと上記発振手段の分周された出力との位相誤差信号を選択して加算し、上記記録クロックに同期した発光クロックを生成する構成とする。また、（４）レーザーにより光ディスクに対しデータを記録可能な構成を備えた光ディスク装置として、記録データと、記録動作の基準となる記録クロックと、該記録クロックに基づき記録タイミング用制御信号とを生成する第１の手段（該当実施例：符号３、４、５）と、少なくとも上記記録クロックに基づき、上記レーザーダイオードの発光タイミングを決定するための発光クロックを生成する第２の手段（該当実施例：符号７ａ、７ｂ、７ｃ、７ｄ、７ｅ）と、上記記録データと上記発光クロックとに基づきレーザー発光の記録波形を生成する第３の手段（該当実施例：符号１１）と、上記第３の手段への上記記録データの供給タイミングと、上記第２の手段への上記記録クロックの供給タイミングを、上記第１の手段の上記記録タイミング用制御信号に基づき時分割で切換える第４の手段（該当実施例：符号６）とを備え、記録時、上記記録クロックと上記記録データを時分割で上記第１の手段から、それぞれ上記第２の手段と上記第３の手段に供給するレーザー駆動回路（該当実施例：符号１ａ、１ｂ、２ａ、２ｂ、２ｃ、２ｄ、２ｅ）と、上記レーザー駆動回路により駆動されるレーザーダイオード（該当実施例：符号１２）と、対物レンズを備え上記レーザーダイオードからのレーザー光を光ディスクの記録面に照射する光学系と、少なくとも上記レーザーダイオードと上記光学系を含んで成るピックアップを移動させるピックアップ移動機構と、光ディスクを回転させるスピンドルモータと、該スピンドルモータを駆動するモータ駆動回路とを備えた構成とする。（５）光ディスク装置として、記録データを生成する記録データ生成手段（該当実施例：符号５）と、記録動作の基準となる記録クロックを生成する第１のクロック生成手段（該当実施例：符号３）と、上記記録クロックに基づき記録タイミング用制御信号を生成する制御信号生成手段（該当実施例：符号４）と、少なくとも上記記録クロックに基づき、上記レーザーダイオードの発光タイミングを決定するための発光クロックを生成する第２のクロック生成手段（該当実施例：符号７ａ、７ｂ、７ｃ、７ｄ、７ｅ）と、上記記録データと上記発光クロックとに基づきレーザー発光の記録波形を生成する波形生成手段（該当実施例：符号１１）と、上記波形生成手段への上記記録データの供給タイミングと、上記第２のクロック生成手段への上記記録クロックの供給タイミングを、上記記録タイミング用制御信号に基づき時分割で切換える切換え手段（該当実施例：符号６）とを備え、記録時、上記記録クロックと上記記録データを同一の信号線により時分割で、それぞれ上記第２のクロック生成手段と上記波形生成手段とに供給可能としたレーザー駆動回路（該当実施例：符号１ａ、１ｂ、２ａ、２ｂ、２ｃ、２ｄ、２ｅ）と、上記レーザー駆動回路により駆動されるレーザーダイオード（該当実施例：符号１２）と、対物レンズを備え上記レーザーダイオードからのレーザー光を光ディスクの記録面に照射する光学系と、少なくとも上記レーザーダイオードと上記光学系を含んで成るピックアップを移動させるピックアップ移動機構と、光ディスクを回転させるスピンドルモータと、該スピンドルモータを駆動するモータ駆動回路とを備えた構成とする。（６）光ディスク装置として、記録データを生成する記録データ生成手段（該当実施例：符号５）と、記録動作の基準となる記録クロックを生成する第１のクロック生成手段（該当実施例：符号３）と、上記生成された記録クロックを分周する第１の分周手段（該当実施例：符号２２）と、上記記録クロックに基づき記録タイミング用制御信号を生成する制御信号生成手段（該当実施例：符号４）と、周波数可変型発振手段（該当実施例：符号１０）と該発振手段の出力を分周する第２の分周手段（該当実施例：符号２１）を有し該発振手段の分周された出力と上記分周された記録クロック及び該発振手段の分周された出力と上記記録データに基づき上記レーザーダイオードの発光タイミングを決定するための発光クロックを生成する第２のクロック生成手段（該当実施例：符号７ｅ）と、上記記録データと上記発光クロックとに基づきレーザー発光の記録波形を生成する波形生成手段（該当実施例：符号１１）と、上記波形生成手段への上記記録データの供給タイミングと上記第２のクロック生成手段への上記分周された記録クロックの供給タイミングを、上記記録タイミング用制御信号に基づき時分割で切換える切換え手段（該当実施例：符号６）とを備え、記録時、上記分周された記録クロックと上記記録データを同一の信号線により時分割で、それぞれ上記第２のクロック生成手段と上記波形生成手段とに供給し、該第２のクロック生成手段では、上記分周された記録クロックの入力期間では、該分周された記録クロックと上記発振手段の分周された出力との周波数誤差信号を選択して加算し、記録データの入力期間では、該記録データと上記発振手段の分周された出力との位相誤差信号を選択して加算し、上記記録クロックに同期した発光クロックを生成するレーザー駆動回路（該当実施例：符号１ｂ、２ｅ）と、上記レーザー駆動回路により駆動されるレーザーダイオード（該当実施例：符号１２）と、対物レンズを備え上記レーザーダイオードからのレーザー光を光ディスクの記録面に照射する光学系と、少なくとも上記レーザーダイオードと上記光学系を含んで成るピックアップを移動させるピックアップ移動機構と、光ディスクを回転させるスピンドルモータと、該スピンドルモータを駆動するモータ駆動回路とを備えた構成とする。（７）光ディスクにデータを記録するためにレーザーダイオードを駆動するレーザー駆動方法として、記録データの生成と、記録動作の基準となる記録クロックの生成と、該記録クロックに基づき記録タイミング用制御信号の生成とを行うステップと、上記記録データの供給タイミングと上記記録クロックの供給タイミングとを、上記記録タイミング用制御信号に基づき時分割で切換えて供給するステップと、少なくとも上記供給された記録クロックに基づき、上記レーザーダイオードの発光タイミングを決定するための発光クロックを生成するステップと、上記記録データと上記発光クロックとに基づきレーザー発光の記録波形を生成するステップと、上記生成した記録波形をレーザーダイオードに供給するステップとを経て、上記レーザーダイオードの駆動を行う。（８）レーザー駆動方法として、記録データの生成と、記録動作の基準となる記録クロックの生成と、該記録クロックに基づき記録タイミング用制御信号の生成と、該記録クロックの分周とを行うステップと、上記記録データの供給タイミングと上記分周された記録クロックの供給タイミングとを、上記記録タイミング用制御信号に基づき時分割で切換えて供給するステップと、上記分周された記録クロック及び上記記録データに基づき、レーザーダイオードの発光タイミングを決定するための発光クロックを生成するステップと、上記記録データと上記発光クロックとに基づきレーザー発光の記録波形を生成するステップと、上記生成した記録波形をレーザーダイオードに供給するステップとを経て、上記レーザーダイオードの駆動を行う。
【０００７】
上記において、上記記録クロックは記録開始前に供給し、該記録クロックと発光クロックとを同期させる。記録中は記録データと発光クロックとの位相差を検出し同期させる。これにより、記録中は記録クロックの供給を不要にし該記録クロックに起因するノイズをなくす。
【０００８】
【発明の実施の形態】
以下、本発明の実施例につき、図面を用いて説明する。
図１及び図２は本発明の第１の実施例の説明図である。図１はレーザー駆動回路の構成図、図２は信号波形説明図である。
図１において、１ａは信号処理回路、２ａはレーザーダイオードを発光駆動するためのレーザーダイオード駆動回路、３は、記録動作の基準となる記録クロックの生成を行う第１のクロック生成手段としての記録クロック生成回路、４は、記録クロックに基づき記録タイミング用制御信号（記録再生切替え信号（Ｒ／ＷＢ））を生成して出力する制御信号生成手段としての記録タイミング信号生成回路、５は、同じく記録クロックに基づき記録データを変調して出力する記録生成手段としての記録データ変調回路、６は、上記記録タイミング用制御信号（記録再生切替え信号（Ｒ／ＷＢ））に基づき、信号処理回路１ａ側からレーザーダイオード駆動回路２ａ側への記録クロックの供給タイミングと記録データの供給タイミングとを時分割で切換える切換え手段としてのスイッチ、７ａは、レーザーダイオードの発光タイミングを決定するための発光クロックを生成する第２のクロック生成手段としての位相同期発振器（ＰＬＬ）、８は位相同期発振器（ＰＬＬ）７ａを構成する位相比較器、９は同じく低域通過フィルタ（ＬＰＦ）、１０は同じく周波数可変型発振手段としての周波数電圧制御発振器（ＶＣＯ）、１１は、上記記録タイミング用制御信号（記録再生切替え信号（Ｒ／ＷＢ））と上記記録データと上記発光クロックとに基づき、レーザーダイオードを発光させるための記録波形を生成する波形生成手段としての記録発光波形生成回路、１２はレーザーダイオードである。上記位相比較器８は、位相比較タイミングが不連続でも位相比較が可能な構成を有する。
【０００９】
上記構成において、記録クロック生成回路３で生成された記録クロックは、記録タイミング信号生成回路４と記録データ変調回路５とスイッチ６とに入力される。記録タイミング信号生成回路４では該入力された記録クロックに基づき記録タイミング用制御信号（記録再生切替え信号（Ｒ／ＷＢ））を生成し、記録データ変調回路では該入力された記録クロックに基づき記録データの変調を行う。該生成された記録タイミング用制御信号（記録再生切替え信号（Ｒ／ＷＢ））と該変調された記録データも記録クロックとともにスイッチ６に入力される。該スイッチ６内では、入力された記録クロックと記録データのレーザーダイオード駆動回路２ａ側への供給タイミングを、記録タイミング用制御信号（記録再生切替え信号（Ｒ／ＷＢ））に基づき時分割で切換える。切換えられた記録クロックと記録データは時分割多重された信号として同じ信号線上を伝送され、レーザーダイオード駆動回路２ａ内の位相同期発振器（ＰＬＬ）７ａと記録発光波形生成回路１１とに供給される。位相同期発振器（ＰＬＬ）７ａ内では、入力された記録クロックに基づき位相比較器８と低域通過フィルタ（ＬＰＦ）９と周波数電圧制御発振器（ＶＣＯ）１０により発光クロックを生成するとともに、記録開始前の期間（記録クロックの入力期間）においては該周波数電圧制御発振器（ＶＣＯ）１０の出力と入力された記録クロックの位相比較を行って位相差を検出し該両者の同期をとり、記録期間においては該周波数電圧制御発振器（ＶＣＯ）１０の出力と入力された記録データの位相比較を行って位相差を検出しこれに基づき該両者の同期をとる。記録発光波形生成回路１１には、上記記録データの他、上記記録タイミング信号生成回路４からの記録タイミング用制御信号（記録再生切替え信号（Ｒ／ＷＢ））と、上記位相同期発振器（ＰＬＬ）７ａで生成された発光クロックとが入力される。該記録発光波形生成回路１１では、入力された記録データと記録タイミング用制御信号（記録再生切替え信号（Ｒ／ＷＢ））と発光クロックとに基づき、レーザーダイオードを駆動して発光させるための記録波形を生成し出力する。
【００１０】
図２は、図１のレーザー駆動回路における信号波形説明図である。
図２において、（ａ）は記録クロックの信号波形、（ｂ）は記録データの信号波形、（ｃ）は記録タイミング用制御信号（記録再生切替え信号（Ｒ／ＷＢ））の波形、（ｄ）は記録クロックと記録データの多重信号の波形、（ｅ）は、発光クロックと記録クロックの位相誤差及び発光クロックと記録データの位相誤差の信号波形である。記録開始前期間（記録クロックの入力期間）と記録期間とにおいて、（ｅ）の位相誤差をなくすようにして同期がとられ、記録開始前期間（記録クロックの入力期間）で周波数電圧制御発振器（ＶＣＯ）１０の出力と記録クロックとの同期がとられ、記録期間中は該周波数電圧制御発振器（ＶＣＯ）１０の出力と記録データとの同期がとられて発光パルスが生成される。
【００１１】
上記第１の実施例によれば、記録期間では記録クロックの供給を断って記録動作を行うため、記録クロックに基づくノイズの影響をなくした安定な状態で記録を行うことができる。
【００１２】
図３及び図４は本発明の第２の実施例の説明図である。図３はレーザー駆動回路の構成図、図４は信号波形の説明図である。
本第２の実施例は、記録クロックの入力期間において位相比較と周波数比較の双方を行う場合の例である。
図３において、１ａは信号処理回路、２ｂはレーザーダイオードを発光駆動するためのレーザーダイオード駆動回路、３は、記録動作の基準となる記録クロックの生成を行う第１のクロック生成手段としての記録クロック生成回路、４は、記録クロックに基づき記録タイミング用制御信号（記録再生切替え信号（Ｒ／ＷＢ））を生成して出力する制御信号生成手段としての記録タイミング信号生成回路、５は、同じく記録クロックに基づき記録データを変調して出力する記録データ生成手段としての記録データ変調回路、６は、上記記録タイミング用制御信号（記録再生切替え信号（Ｒ／ＷＢ））に基づき、信号処理回路１ａ側からレーザーダイオード駆動回路２ｂ側への記録クロックの供給タイミングと記録データの供給タイミングとを時分割で切換える切換え手段としてのスイッチ、７ｂは、レーザーダイオードの発光タイミングを決定するための発光クロックを生成する第２のクロック生成手段としての位相同期発振器（ＰＬＬ）、８は、位相同期発振器（ＰＬＬ）７ｂを構成する位相比較器、９は同じく低域通過フィルタ（ＬＰＦ）、１０は同じく周波数可変型発振手段としての周波数電圧制御発振器（ＶＣＯ）、１１は、上記記録タイミング用制御信号（記録再生切替え信号（Ｒ／ＷＢ））と上記記録データと上記発光クロックとに基づき、レーザーダイオードを発光させる記録波形を生成する波形生成手段としての記録発光波形生成回路、１２はレーザーダイオード、１３は、入力される記録クロックと周波数電圧制御発振器（ＶＣＯ）１０の出力との周波数比較を行い周波数誤差を検出する周波数比較器、１４は、上記記録タイミング用制御信号（記録再生切替え信号（Ｒ／ＷＢ））に基づいて切換えられ、記録クロックが入力されている期間中は上記周波数比較が行われるようにするためのスイッチ、１５は加算器である。上記位相比較器８は、位相比較タイミングが不連続でも位相比較が可能な構成を有する。
【００１３】
上記構成において、記録クロック生成回路３で生成された記録クロックは、記録タイミング信号生成回路４と記録データ変調回路５とスイッチ６とに入力される。記録タイミング信号生成回路４では該入力された記録クロックに基づき記録タイミング用制御信号（記録再生切替え信号（Ｒ／ＷＢ））を生成し、記録データ変調回路では該入力された記録クロックに基づき記録データの変調を行う。該生成された記録タイミング用制御信号（記録再生切替え信号（Ｒ／ＷＢ））と該変調された記録データも記録クロックとともにスイッチ６に入力される。該スイッチ６内では、入力された記録クロックと記録データのレーザーダイオード駆動回路２ｂ及び周波数比較器１３側への供給タイミングを、記録タイミング用制御信号（記録再生切替え信号（Ｒ／ＷＢ））に基づき時分割で切換える。切換えられた記録クロックと記録データは時分割多重された信号として、同じ信号線上を伝送され、レーザーダイオード駆動回路２ｂ内の位相同期発振器（ＰＬＬ）７ｂと記録発光波形生成回路１１と、周波数比較器１３に供給される。位相同期発振器（ＰＬＬ）７ｂ内では、入力された記録クロックに基づき位相比較器８と低域通過フィルタ（ＬＰＦ）９と周波数電圧制御発振器（ＶＣＯ）１０により発光クロックを生成するとともに、記録開始前の期間（記録クロックの入力期間）においては位相比較器８において周波数電圧制御発振器（ＶＣＯ）１０の出力と入力された記録クロックの位相比較を行って位相差を検出した後、これに基づき該両者の同期をとり、記録期間においては周波数電圧制御発振器（ＶＣＯ）１０の出力と入力された記録データの位相比較を行って位相差を検出しこれに基づき該両者の同期をとる。記録開始前の期間（記録クロックの入力期間）においては周波数比較器１３において周波数電圧制御発振器（ＶＣＯ）１０の出力と入力された記録データの周波数比較が行われ、周波数誤差が検出される。該周波数誤差の信号と上記位相差の信号は加算器１５に入力される。周波数電圧制御発振器（ＶＣＯ）１０からは上記周波数誤差と上記位相差に基づき同期がとられた発光クロックが出力される。記録発光波形生成回路１１には、上記記録データの他、上記記録タイミング信号生成回路４からの記録タイミング用制御信号（記録再生切替え信号（Ｒ／ＷＢ））と、上記位相同期発振器（ＰＬＬ）７ｂで生成された発光クロックとが入力される。該記録発光波形生成回路１１では、入力された記録データと記録タイミング用制御信号（記録再生切替え信号（Ｒ／ＷＢ））と発光クロックとに基づき、レーザーダイオードを駆動して発光させるための記録波形を生成し出力する。
【００１４】
図４は、図３のレーザー駆動回路における信号波形の説明図である。
図４において、（ａ）は記録クロックの信号波形、（ｂ）は記録データの信号波形、（ｃ）は記録タイミング用制御信号（記録再生切替え信号（Ｒ／ＷＢ））の波形、（ｄ）は記録クロックと記録データの多重信号の波形、（ｅ）は周波数電圧制御発振器（ＶＣＯ）１０の出力と記録クロックの周波数誤差の信号波形、（ｆ）は、周波数電圧制御発振器（ＶＣＯ）１０の出力と記録クロックの位相誤差及び周波数電圧制御発振器（ＶＣＯ）１０の出力と記録データの位相誤差の信号波形である。記録開始前期間（記録クロックの入力期間）では、（ｅ）の位相誤差と（ｆ）の周波数誤差との両方をなくすように同期がとられ、記録期間では、（ｆ）の位相誤差をなくすようにして同期がとられる。
【００１５】
上記第２の実施例によっても、記録期間では記録クロックの供給を断って記録動作を行うため、記録クロックに基づくノイズの影響をなくした安定な状態で記録を行うことができる。特に、周波数比較器を設けることにより、位相同期発振器（ＰＬＬ）における引き込み時間を短縮することができる。また、広範囲の周波数において短時間の引き込みが可能となる。
【００１６】
図５は本発明の第３の実施例の説明図である。
本第３の実施例は、記録クロックの入力期間において位相比較と周波数比較のいずれか一方を選択するようにした場合の例である。
図５において、１ａは信号処理回路、２ｃはレーザーダイオードを発光駆動するためのレーザーダイオード駆動回路である。信号処理回路１ａ内の構成は上記第１、第２の実施例の場合と同様である。レーザーダイオード駆動回路２ｃ内において、７ｃは、レーザーダイオードの発光タイミングを決定するための発光クロックを生成する第２のクロック生成手段としての位相同期発振器（ＰＬＬ）、８は、位相同期発振器（ＰＬＬ）７ｃを構成する位相比較器、９は同じく低域通過フィルタ（ＬＰＦ）、１０は同じく周波数可変型発振手段としての周波数電圧制御発振器（ＶＣＯ）、１１は、上記記録タイミング用制御信号（記録再生切替え信号（Ｒ／ＷＢ））と上記記録データと上記発光クロックとに基づき、レーザーダイオードを発光させる記録波形を生成する波形生成手段としての記録発光波形生成回路、１２はレーザーダイオード、１３は、入力される記録クロックと周波数電圧制御発振器（ＶＣＯ）１０の出力との周波数比較を行い周波数誤差を検出する周波数比較器、１６は、上記記録タイミング用制御信号（記録再生切替え信号（Ｒ／ＷＢ））に基づき、記録クロックが入力されている期間において上記位相比較器８の出力と上記周波数比較器１３の出力とを択一的に選択するためのスイッチである。上記位相比較器８は、上記周波数電圧制御発振器（ＶＣＯ）の出力と記録クロック及び記録データとの位相比較を行い各位相誤差を検出するものであり、位相比較タイミングが不連続でも位相比較が可能である。
【００１７】
上記構成において、記録クロック生成回路３で生成された記録クロックは、記録タイミング信号生成回路４と記録データ変調回路５とスイッチ６とに入力される。記録タイミング信号生成回路４では該入力された記録クロックに基づき記録タイミング用制御信号（記録再生切替え信号（Ｒ／ＷＢ））を生成し、記録データ変調回路では該入力された記録クロックに基づき記録データの変調を行う。該生成された記録タイミング用制御信号（記録再生切替え信号（Ｒ／ＷＢ））と該変調された記録データも記録クロックとともにスイッチ６に入力される。該スイッチ６内では、入力された記録クロックと記録データのレーザーダイオード駆動回路２ｃ及び周波数比較器１３側への供給タイミングを、記録タイミング用制御信号（記録再生切替え信号（Ｒ／ＷＢ））に基づき時分割で切換える。切換えられた記録クロックと記録データは時分割多重された信号として、同じ信号線上を伝送され、レーザーダイオード駆動回路２ｃ内の位相同期発振器（ＰＬＬ）７ｃと記録発光波形生成回路１１と、周波数比較器１３に供給される。位相同期発振器（ＰＬＬ）７ｃ内では、入力された記録クロックに基づき位相比較器８と低域通過フィルタ（ＬＰＦ）９と周波数電圧制御発振器（ＶＣＯ）１０により発光クロックを生成するとともに、記録開始前の期間（記録クロックの入力期間）においては位相比較器８において周波数電圧制御発振器（ＶＣＯ）１０の出力と入力された記録クロックとの位相比較を行って位相差を検出し、記録期間においては周波数電圧制御発振器（ＶＣＯ）１０の出力と入力された記録データとの位相比較を行って位相差を検出する。記録開始前の期間（記録クロックの入力期間）においては周波数比較器１３において周波数電圧制御発振器（ＶＣＯ）１０の出力と入力された記録クロックとの周波数比較が行われ、周波数誤差が検出される。該周波数誤差の信号と上記位相差の信号はスイッチ１６に入力される。スイッチ１６では記録クロックの入力期間における上記周波数誤差信号と上記位相差信号のいずれかを選択する。周波数電圧制御発振器（ＶＣＯ）１０からはこれに基づき同期がとられた発光クロックが出力される。記録発光波形生成回路１１には、上記記録データの他、上記記録タイミング信号生成回路４からの記録タイミング用制御信号（記録再生切替え信号（Ｒ／ＷＢ））と、上記位相同期発振器（ＰＬＬ）７ｃで生成された発光クロックとが入力される。該記録発光波形生成回路１１では、入力された記録データと記録タイミング用制御信号（記録再生切替え信号（Ｒ／ＷＢ））と発光クロックとに基づき、レーザーダイオードを駆動して発光させるための記録波形を生成し出力する。
【００１８】
上記第３の実施例によっても、記録期間では記録クロックの供給を断って記録動作を行うため、記録クロックに基づくノイズの影響をなくした安定な状態で記録を行うことができる。特に、スイッチ１６で周波数比較を選択した場合は、上記第２の実施例と同様、位相同期発振器（ＰＬＬ）における引き込み時間を短縮することができる。さらに、位相比較器８を用いる場合と周波数比較器１３を用いる場合とで独立して回路設計を行うことができ、容易に実現可能である。
【００１９】
図６及び図７は本発明の第４の実施例の説明図である。図６はレーザー駆動回路の構成図、図７は信号波形の説明図である。
本第４の実施例は、記録クロックの入力期間において位相比較と周波数比較の双方を行い、かつ、周波数比較出力の加算を切る際に低域通過フィルタ（ＬＰＦ）の出力をホールドするようにした場合の例である。
図６において、１ａは信号処理回路、２ｄはレーザーダイオードを発光駆動するためのレーザーダイオード駆動回路である。信号処理回路１ａ内の構成は上記第１、第２及び第３の実施例の場合と同様である。レーザーダイオード駆動回路２ｄ内において、７ｄは、レーザーダイオードの発光タイミングを決定するための発光クロックを生成する第２のクロック生成手段としての位相同期発振器（ＰＬＬ）、８は、位相同期発振器（ＰＬＬ）７ｄを構成する位相比較器、９は低域通過フィルタ（ＬＰＦ）、１０は周波数可変型発振手段としての周波数電圧制御発振器（ＶＣＯ）、１１は、上記記録タイミング用制御信号（記録再生切替え信号（Ｒ／ＷＢ））と上記記録データと上記発光クロックとに基づき、レーザーダイオードを発光させる記録波形を生成する波形生成手段としての記録発光波形生成回路、１２はレーザーダイオード、１３は、入力される記録クロックと周波数電圧制御発振器（ＶＣＯ）１０の出力との周波数比較を行い周波数誤差を検出する周波数比較器、１４は、上記記録タイミング用制御信号（記録再生切替え信号（Ｒ／ＷＢ））に基づいて制御され、記録クロックが入力されている期間中は上記周波数比較が行われるように切換えるスイッチ、１５は加算器、２３は、低域通過フィルタ（ＬＰＦ）９の出力をホールドするサンプルホールド回路、１７、１８は記録タイミング用制御信号（記録再生切替え信号（Ｒ／ＷＢ））の位相を遅らせる遅延器、２０はサンプルホールド回路２３を制御する信号を形成する信号形成回路である。上記位相比較器８は、位相比較タイミングが不連続でも位相比較が可能な構成を有する。
【００２０】
上記構成において、記録クロック生成回路３で生成された記録クロックは、記録タイミング信号生成回路４と記録データ変調回路５とスイッチ６とに入力される。記録タイミング信号生成回路４では該入力された記録クロックに基づき記録タイミング用制御信号（記録再生切替え信号（Ｒ／ＷＢ））を生成し、記録データ変調回路では該入力された記録クロックに基づき記録データの変調を行う。該生成された記録タイミング用制御信号（記録再生切替え信号（Ｒ／ＷＢ））と該変調された記録データも記録クロックとともにスイッチ６に入力される。該スイッチ６内では、入力された記録クロックと記録データのレーザーダイオード駆動回路２ｄ及び周波数比較器１３側への供給タイミングを、記録タイミング用制御信号（記録再生切替え信号（Ｒ／ＷＢ））に基づき時分割で切換える。切換えられた記録クロックと記録データは時分割多重された信号として、レーザーダイオード駆動回路２ｄ内の位相同期発振器（ＰＬＬ）７ｄと記録発光波形生成回路１１と、周波数比較器１３に供給される。位相同期発振器（ＰＬＬ）７ｄ内では、入力された記録クロックに基づき位相比較器８と低域通過フィルタ（ＬＰＦ）９と周波数電圧制御発振器（ＶＣＯ）１０により発光クロックを生成するとともに、記録開始前の期間（記録クロックの入力期間）においては位相比較器８において周波数電圧制御発振器（ＶＣＯ）１０の出力と入力された記録クロックの位相比較を行って位相差を検出した後、これに基づき該両者の同期をとり、記録期間においては周波数電圧制御発振器（ＶＣＯ）１０の出力と入力された記録データの位相比較を行って位相差を検出しこれに基づき該両者の同期をとる。記録開始前の期間（記録クロックの入力期間）においては周波数比較器１３において周波数電圧制御発振器（ＶＣＯ）１０の出力と入力された記録データの周波数比較が行われ、周波数誤差が検出される。該周波数誤差の信号と上記位相差の信号は加算器１５に入力される。周波数電圧制御発振器（ＶＣＯ）１０からは上記周波数誤差と上記位相差に基づき同期がとられた発光クロックが出力される。記録クロックの入力期間が終了する時、スイッチ１４により周波数比較器１３からの周波数誤差信号の加算が停止される。サンプルホールド回路２３はこの時、低域通過フィルタ（ＬＰＦ）９の出力をホールドし、周波数電圧制御発振器（ＶＣＯ）１０に対しスイッチ１４による切換えに基づく過渡信号が印加されないようにし、発光クロックが変動しないようにする。このときのサンプルホールド回路２３のホールド動作は信号形成回路２０で形成された信号により制御される。該信号形成回路２０では上記遅延器１８からの信号や記録タイミング用制御信号（記録再生切替え信号（Ｒ／ＷＢ））により出力信号が形成される。記録発光波形生成回路１１には、上記記録データの他、上記記録タイミング信号生成回路４からの記録タイミング用制御信号（記録再生切替え信号（Ｒ／ＷＢ））と、上記位相同期発振器（ＰＬＬ）７ｄで生成された発光クロックとが入力される。該記録発光波形生成回路１１では、入力された記録データと記録タイミング用制御信号（記録再生切替え信号（Ｒ／ＷＢ））と発光クロックとに基づき、レーザーダイオードを駆動して発光させるための記録波形を生成し出力する。
【００２１】
図７は、図６のレーザー駆動回路における信号波形の説明図である。
図７において、（ａ）は記録クロックの信号波形、（ｂ）は記録データの信号波形、（ｃ）は記録タイミング用制御信号（記録再生切替え信号（Ｒ／ＷＢ））の波形、（ｄ）は遅延器１７の出力信号の波形、（ｅ）は遅延器１８の出力信号の波形、（ｆ）はサンプルホールド回路２１の出力信号の波形、（ｇ）は記録クロックと記録データの多重信号の波形、（ｈ）は周波数電圧制御発振器（ＶＣＯ）１０の出力と記録クロックの周波数誤差の信号波形、（ｉ）は、周波数電圧制御発振器（ＶＣＯ）１０の出力と記録クロックの位相誤差及び周波数電圧制御発振器（ＶＣＯ）１０の出力と記録データの位相誤差の信号波形である。記録開始前期間（記録クロックの入力期間）では、（ｈ）の周波数誤差と（ｉ）の位相誤差との両方をなくすように同期がとられ、記録期間では、（ｉ）の位相誤差をなくすようにして同期がとられる。
【００２２】
上記第４の実施例も、記録期間では記録クロックの供給を断って記録動作を行うため、記録クロックに基づくノイズの影響をなくした安定な状態で記録を行うことができる。特に、記録クロックの入力期間に周波数比較を行うため、位相同期発振器（ＰＬＬ）における引き込み時間を短縮することができる。また、周波数比較器からの出力信号の加算器１５への入力を断つ際、サンプルホールド回路２１により、周波数電圧制御発振器（ＶＣＯ）１０に過渡信号が印加されるのを防ぎ、発光クロックの変動を抑えることが可能となる。
なお、上記サンプルホールド回路２１により、周波数電圧制御発振器（ＶＣＯ）１０に過渡信号が印加されるのを防ぐ構成は、上記第３の実施例の構成に付加することも可能である。
【００２３】
図８及び図９は本発明の第５の実施例の説明図である。図８はレーザー駆動回路の構成図、図９はその信号波形の説明図である。
本第５の実施例は、分周した記録クロックを用い、該記録クロックの入力期間において位相比較と周波数比較の双方を行う場合の例である。
図８において、１ｂは信号処理回路、２ｅはレーザーダイオードを発光駆動するためのレーザーダイオード駆動回路、３は、記録動作の基準となる記録クロックの生成を行う第１のクロック生成手段としての記録クロック生成回路、４は、記録クロックに基づき記録タイミング用制御信号（記録再生切替え信号（Ｒ／ＷＢ））を生成して出力する制御信号生成手段としての記録タイミング信号生成回路、５は、同じく記録クロックに基づき記録データを変調し出力する記録データ生成手段としての記録データ変調回路、２２は記録クロックを分周する第１の分周手段としての分周回路、６は、上記記録タイミング用制御信号（記録再生切替え信号（Ｒ／ＷＢ））に基づき、信号処理回路１ｂ側からレーザーダイオード駆動回路２ｅ側への、分周された記録クロックの供給タイミングと記録データの供給タイミングとを時分割で切換える切換え手段としてのスイッチ、７ｅは、レーザーダイオードの発光タイミングを決定するための発光クロックを生成する第２のクロック生成手段としての位相同期発振器（ＰＬＬ）、８は、位相同期発振器（ＰＬＬ）７ｅを構成する位相比較器、９は低域通過フィルタ（ＬＰＦ）、１０は周波数可変型発振手段としての周波数電圧制御発振器（ＶＣＯ）、２１は、周波数電圧制御発振器（ＶＣＯ）１０の出力を分周する第２の分周手段としての分周回路、１１は、上記記録タイミング用制御信号（記録再生切替え信号（Ｒ／ＷＢ））と上記記録データと上記発光クロックとに基づき、レーザーダイオードを発光させる記録波形を生成する波形生成手段としての記録発光波形生成回路、１２はレーザーダイオード、１３は、入力される分周された記録クロックと周波数電圧制御発振器（ＶＣＯ）１０の出力との周波数比較を行い周波数誤差を検出する周波数比較器、１４は、上記記録タイミング用制御信号（記録再生切替え信号（Ｒ／ＷＢ））に基づき、記録クロック（分周した記録クロック）が入力されている期間中は上記周波数比較が行われるように切換えるためのスイッチ、１５は加算器である。分周回路２２の分周比と分周回路２１の分周比は等しくしてある。また、上記位相比較器８は、位相比較タイミングが不連続でも位相比較が可能な構成を有する。
【００２４】
上記構成において、記録クロック生成回路３で生成された記録クロックは、記録タイミング信号生成回路４と記録データ変調回路５と分周回路２２とに入力される。記録タイミング信号生成回路４では該入力された記録クロックに基づき記録タイミング用制御信号（記録再生切替え信号（Ｒ／ＷＢ））を生成し、記録データ変調回路では該入力された記録クロックに基づき記録データの変調を行い、分周回路２２では記録クロックの分周を行う。分周された記録クロックと、生成された記録タイミング用制御信号（記録再生切替え信号（Ｒ／ＷＢ））と、変調された記録データはスイッチ６に入力される。該スイッチ６内では、入力された、分周された記録クロックと記録データの、レーザーダイオード駆動回路２ｅ及び周波数比較器１３側への供給タイミングを、記録タイミング用制御信号（記録再生切替え信号（Ｒ／ＷＢ））に基づき時分割で切換える。切換えられた、分周された記録クロックと記録データは時分割多重された信号として、同じ信号線上を伝送され、レーザーダイオード駆動回路２ｅ内の位相同期発振器（ＰＬＬ）７ｅと記録発光波形生成回路１１と、周波数比較器１３に供給される。位相同期発振器（ＰＬＬ）７ｅ内では、入力された記録クロックに基づき位相比較器８と低域通過フィルタ（ＬＰＦ）９と周波数電圧制御発振器（ＶＣＯ）１０により発光クロックを生成するとともに、記録開始前の期間、すなわち分周された記録クロックの入力期間においては位相比較器８において、周波数電圧制御発振器（ＶＣＯ）１０の出力を分周回路２１で分周した信号と分周した記録クロックとの位相比較を行って位相差を検出した後、これに基づき該両者の同期をとり、記録期間においては周波数電圧制御発振器（ＶＣＯ）１０の出力を分周した信号と、入力された記録データとの位相比較を行って位相差を検出しこれに基づき該両者の同期をとる。記録開始前の期間、すなわち分周された記録クロックの入力期間では、周波数比較器１３において周波数電圧制御発振器（ＶＣＯ）１０の出力を分周した信号と入力された記録データとの周波数比較が行われ、周波数誤差が検出される。該周波数誤差の信号と上記位相差の信号は加算器１５に入力される。周波数電圧制御発振器（ＶＣＯ）１０からは上記周波数誤差と上記位相差に基づき同期がとられた発光クロックが出力される。記録発光波形生成回路１１には、上記記録データの他、上記記録タイミング信号生成回路４からの記録タイミング用制御信号（記録再生切替え信号（Ｒ／ＷＢ））と、上記位相同期発振器（ＰＬＬ）７ｅで生成された発光クロックとが入力される。該記録発光波形生成回路１１では、入力された記録データと記録タイミング用制御信号（記録再生切替え信号（Ｒ／ＷＢ））と発光クロックとに基づき、レーザーダイオードを駆動し発光させるための記録波形を生成し出力する。
【００２５】
図９は、図８のレーザー駆動回路における信号波形の説明図である。
図９において、（ａ）は記録クロックの信号波形、（ｂ）は記録データの信号波形、（ｃ）は記録タイミング用制御信号（記録再生切替え信号（Ｒ／ＷＢ））の波形、（ｄ）は、分周した記録クロックと記録データの多重信号波形、（ｅ）は、周波数電圧制御発振器（ＶＣＯ）１０の出力を分周した信号と分周した記録クロックとの周波数誤差の信号波形、（ｆ）は、周波数電圧制御発振器（ＶＣＯ）１０の出力を分周した信号と分周した記録クロックとの位相誤差及び周波数電圧制御発振器（ＶＣＯ）１０の出力を分周した信号と記録データとの位相誤差の信号波形である。記録開始前期間（分周した記録クロックの入力期間）では、（ｅ）の位相誤差と（ｆ）の周波数誤差との両方をなくすように同期がとられ、記録期間では、（ｆ）の位相誤差をなくすようにして同期がとられる。
【００２６】
上記第５の実施例によっても、記録期間では記録クロックの供給を断つため、記録クロックに基づくノイズの影響をなくし安定な記録を行うことができる。特に、信号処理回路１ｂからレーザーダイオード駆動回路２ｅに送出するクロック周波数を発光クロックより低くすることができるため、高速記録に適する。また、周波数比較器を設けた構成のため、位相同期発振器（ＰＬＬ）における引き込み時間を短縮することができる。
【００２７】
なお、上記第１〜第５の実施例における各スイッチは論理回路により構成するものとする。
また、上記分周した記録クロックと周波数電圧制御発振器（ＶＣＯ）の出力を分周した信号とを用いる構成は、例えば上記第１の実施例、上記第３の実施例または上記第４の実施例の構成にも適用可能である。
【００２８】
【発明の効果】
本発明によれば、光ディスク装置において、記録クロックに基づくノイズの影響をなくした安定な記録が可能となる。
【図面の簡単な説明】
【図１】本発明の第１の実施例としてのレーザー駆動回路の構成例を示す図である。
【図２】図１のレーザー駆動回路の信号波形説明図である。
【図３】本発明の第２の実施例としてのレーザー駆動回路の構成例を示す図である。
【図４】図３のレーザー駆動回路の信号波形説明図である。
【図５】本発明の第３の実施例を示す図である。
【図６】本発明の第４の実施例としてのレーザー駆動回路の構成例を示す図である。
【図７】図６のレーザー駆動回路の信号波形説明図である。
【図８】本発明の第５の実施例としてのレーザー駆動回路の構成例を示す図である。
【図９】図８のレーザー駆動回路の信号波形説明図である。
【図１０】従来のレーザー駆動回路の構成例を示す図である。
【符号の説明】
１ａ、１ｂ、１ｃ…信号処理回路、  ２ａ、２ｂ、２ｃ、２ｄ、２ｅ、２’…レーザーダイオード駆動回路、  ３…記録クロック生成回路、  ４…記録タイミング信号生成回路、  ５…記録データ変調回路、  ６、１４、１６…スイッチ、７ａ、７ｂ、７ｃ、７ｄ、７ｅ…位相同期発振器（ＰＬＬ）、  ８…位相比較器、  ９…低域通過フィルタ（ＬＰＦ）、  １０…周波数電圧制御発振器（ＶＣＯ）、  １１…記録発光波形生成回路、  １２…レーザーダイオード、  １３…周波数比較器、  １５…加算器、  １７、１８…遅延器、  ２１、２２…分周回路、  ２３…サンプルホールド回路。
【図１】
2004241077.tif 000003
【図２】
2004241077.tif 000004
【図３】
2004241077.tif 000005
【図４】
2004241077.tif 000006
【図５】
2004241077.tif 000007
【図６】
2004241077.tif 000008
【図７】
2004241077.tif 000009
【図８】
2004241077.tif 000010
【図９】
2004241077.tif 000011
【図１０】
2004241077.tif 000012